(57)【要約】【課題】インターホン機能を利用した浴室モニター機能で、浴室状況の把握を忘れないようにすること。【解決手段】浴室状況の把握のためにインターホン機能を使用し、その時間が一定時間を超えた場合に、台所リモコン９で報知を行う報知手段１５を備えたことにより、台所リモコン９側では、報知手段１５による報知毎に、浴室状況の確認意識を喚起するので、浴室状況を把握しようとしている人が、浴室の状況把握を忘れてしまうことがない。【選択図】図１
2006105503.tif 000002
【特許請求の範囲】
【請求項１】
給湯機のふろリモコンと台所リモコンの間で通話可能なインターホン機能を備えた給湯機用リモコンにおいて、インターホン機能を使用している時間が一定時間を超えた場合に、前記台所リモコンで報知を行う報知手段を備えた給湯機用リモコン。
【請求項２】
給湯機のふろリモコンと台所リモコンの間で通話可能なインターホン機能を備えた給湯機用リモコンにおいて、前記ふろリモコンから前記台所リモコンへ音データを送信している時間が一定時間を超えた場合に、前記台所リモコンで報知を行う報知手段を備えた給湯機用リモコン。
【発明の詳細な説明】
【技術分野】
【０００１】
本発明は、浴室内外のリモコン間でインターホン機能を備えた給湯機用リモコンに関するものである。
【背景技術】
【０００２】
近年においても、浴室内で入浴中に亡くなられる方が、年間１万人以上にものぼっている（例えば非特許文献１参照）。
【０００３】
このような事態をふまえ、浴室暖房等、浴室での事故を防止する機器の普及が進められている。しかしながら、浴室で発生した事故を検知する機器については、機器が高価であったり、その設置が工事を伴うものであったり、なかなか普及できていない状況にある。
【０００４】
そのような中で、従来の、給湯機のリモコンに備えるインターホン機能を利用し、浴室内の音をモニターし、入浴者の状況を確認する給湯機のリモコンは知られている（例えば、特許文献１参照）。
【０００５】
このような給湯機のリモコンでは、浴室の音をふろリモコンのマイクで拾い、台所リモコンに送信することにより、台所リモコンのスピーカーで、浴室の音を常時聞くことができる。
【特許文献１】特開２００１−２０８４２２号公報
【非特許文献１】東京ガスホームページ（２００４年６月４日）ｈｔｔｐ：／／ｈｏｍｅ．ｔｏｋｙｏ−ｇａｓ．ｃｏ．ｊｐ／ｂｅｎｒｉ／ｓｕｍａｉ２／ｌｅｓｓｏｎ１＿１．ｈｔｍｌ
【発明の開示】
【発明が解決しようとする課題】
【０００６】
しかしながら、前記従来の給湯機のリモコンでは、浴室の音を台所リモコン側で常時聞くことにより、浴室の状況を把握していた。よって、台所リモコン側で浴室の状況を把握しようとする人が、例えば家事に気を取られ、うっかりと浴室の状況の確認を怠っていると、浴室での事故に気がつくのが遅れることになるという課題があった。
【０００７】
本発明は、前記従来の課題を解決するもので、浴室での事故に気がつくのが遅れることのないようにすることを目的とする。
【課題を解決するための手段】
【０００８】
前記従来の課題を解決するために、本発明の給湯機用リモコンは、インターホン機能を使用している時間が一定時間を超えた場合に、台所リモコンで報知を行う報知手段を備えたことにより、台所リモコン側では、報知手段による報知毎に、浴室状況の確認意識を喚起する。
【０００９】
また、本発明の給湯機用リモコンは、ふろリモコンから台所リモコンへ音データを送信している時間が一定時間を超えた場合に、台所リモコンで報知を行う報知手段を備えている。通常、浴室の状況を確認するためには、ふろリモコンから台所リモコンへ音データを送信している。逆に、台所リモコン側からふろリモコンへ音データを送信しているときは、浴室の状況を確認したい使用者と、入浴者の間で、対話ができているということである。よって、浴室状況の確認意識を喚起する必要がある場合というのは、ふろリモコンから台所リモコンへ音データを送信している状況が続く場合である。本発明では、ふろリモコンから台所リモコンへ音データを送信している時間が一定時間を超えた場合に、台所リモコンで報知を行う報知手段を備えているので、浴室状況の確認意識の喚起が必要ない場合は報知手段は起動されずに、必要な場合のみ報知手段が起動され、浴室状況の確認意識を喚起する。
【発明の効果】
【００１０】
本発明の給湯機用リモコンは、台所リモコン側で浴室の状況を把握しようとしている人が、浴室での事故に気がつくのが遅れることがない。
【発明を実施するための最良の形態】
【００１１】
第１の発明は、給湯機のふろリモコンと台所リモコンの間で通話可能なインターホン機能を備えた給湯機用リモコンにおいて、インターホン機能を使用している時間が一定時間を超えた場合に、台所リモコンで報知を行う報知手段を備えたことにより、台所リモコン側では、報知手段による報知毎に、浴室状況の確認意識を喚起するので、台所リモコン側で浴室の状況を把握しようとしている人が、浴室での事故に気がつくのが遅れることがない。
【００１２】
第２の発明は、給湯機のふろリモコンと台所リモコンの間で通話可能なインターホン機能を備えた給湯機用リモコンにおいて、ふろリモコンから台所リモコンへ音データを送信している時間が一定時間を超えた場合に、台所リモコンで報知を行う報知手段を備えたことにより、台所リモコン側からふろリモコン側へ、インターホン機能を利用した浴室状況の確認ができていない状況が続けば、台所リモコンで報知する。報知により浴室状況の確認意識を喚起するので、台所リモコン側で浴室の状況を把握しようとしている人が、浴室での事故に気がつくのが遅れることがない。
【００１３】
以下、本発明の実施の形態について、図面を参照しながら説明する。なお、この実施の形態によって本発明が限定されるものではない。
【００１４】
（実施の形態１）
図１は、本発明の第１の実施の形態における給湯機のリモコンを備えた給湯機のブロック図を示すものである。
【００１５】
図１において、ふろリモコン１では、マイク２とマイク用増幅器３とスピーカー４とスピーカー用増幅器５と通信手段６でインターホン機能が構成されている。また、マイコン７は、通話スイッチ８を入力し、通信手段６の起動／停止を行う。
【００１６】
台所リモコン９では、マイク１０とマイク用増幅器１１とスピーカー１２とスピーカー用増幅器１３と通信手段１６でインターホン機能が構成されている。さらに、記憶手段１４と増幅器１３とスピーカー１２で、報知手段１５を構成している。また、マイコン１７は、通話スイッチ１８を入力し、通信手段１６の起動／停止を行う。タイマー手段１９は、マイコン１７に接続されている。給湯機２０は、ふろリモコン１と台所リモコン９に接続されている。
【００１７】
図２は、本発明の第１の実施の形態における給湯機のリモコンの浴室モニター機能の動作フローチャートを示すものである。
【００１８】
以上のように構成された給湯機のリモコンについて、以下その動作、作用を説明する。
【００１９】
まず、浴室の状況を把握しようとした場合、台所リモコン９の通話スイッチ１８を操作するか、ふろリモコン１の通話スイッチ８を操作する。台所リモコン９の通話スイッチ１８を操作した場合、マイコン１７は通話スイッチ１８の操作入力を受けて、通信手段１６を起動する。通信手段１６は、浴室モニター要求データを送信する。浴室モニター要求データは、ふろリモコン１の通信手段６で受信され、マイコン７に浴室モニター要求データが伝わる。マイコン７は、浴室モニター要求データを受け取ったので、通信手段６を起動させ、マイク２で拾った浴室内の音を増幅器３で増幅した音データを通信手段６から送信する。浴室の音データは、台所リモコン９の通信手段１６で受信し、増幅器１３で音データが増幅され、スピーカー１２から出力される。これにより、台所リモコン９において、浴室の状況が、音で確認することができる。このようなインターホン機能を利用した浴室状況の確認機能を浴室モニター機能と呼ぶ。
【００２０】
一般的に、浴室モニター機能は、次のような状況で使用される。お年寄りの入浴時や、子供だけの入浴時に、台所で家事をする主婦の方が、浴室の状況を把握したい場合である。このような状況では、家事をしながらという状況なので、例えば、調理に没頭してしまい、浴室の状況の確認がついおろそかになってしまうことがある。
【００２１】
次に、浴室モニター機能が働いている時の動作を図１と図２のフローチャートを用いて説明する。
【００２２】
本発明では、浴室モニター機能が動作した時、マイコン１７はタイマー手段１９を起動する（ステップ１）。ステップ２では、浴室モニターが停止されたかどうかの判断なので、浴室モニター中は、ステップ３に進む。タイマー手段１９は、３分をカウントすれば、マイコン１７にタイムアップ信号を出力する。マイコン１７は、タイムアップ信号を受け、報知手段１５を起動する（ステップ４）。報知手段１５は、記憶手段１４に記憶している音声データを増幅器１３で増幅し、スピーカー１２から出力する。この時の音声データは、例えば「３分経過しました。浴室状況を確認してください。」等である。マイコン１７は、報知手段１５の起動と共に、タイマー手段１９をリセットする（ステップ５）。そして、マイコン１７は、タイマー手段１９を再度起動する（ステップ１）。タイマー手段１９は、再度３分をカウントする。タイマー手段１９は、再度カウントアップすれば、マイコン１７にタイムアップ信号を出力する。マイコン１７は、タイムアップ信号を受け、報知手段１５を起動する。報知手段１５は、記憶手段１４に記憶している音声データを増幅器１３で増幅し、スピーカー１２から出力する。この時の音声データは、例えば「６分経過しました。浴室状況を確認してください。」等である。
【００２３】
このように、３分ごとに浴室モニターの注意喚起の報知を行うことで、浴室状況の把握を忘れ、浴室での事故に気がつくのが遅れることを防止できる。
【００２４】
また、報知手段１５で報知する内容に、浴室モニターを開始したときからの経過時間（例えば、３分、６分、９分、等）を含ませることにより、入浴時間の把握ができ、長湯を防止することができる。
【００２５】
なお、タイマー手段１９の時間設定は、短いほど、呼吸停止からの蘇生率が高くなる。ドリンカーの曲線と呼ばれるものでは、呼吸停止の２分後に人工呼吸を始めると蘇生率は９０％、３分後では７５％、４分後では５０％、５分後では２５％、６分後では１０％といわれている。
【００２６】
但し、あまり頻繁に注意喚起の報知を行うと、浴室状況を把握しようとする人が煩わしく感じたり、また、頻繁な報知により、逆に意識の低下になってはいけないので、３分程度が目安となる。
【００２７】
なお、タイマー手段１９は、マイコン１７と別構成としたが、マイコン１７の中に機能を含んでいてもよい。
【００２８】
なお、タイマー手段１９は、台所リモコン９内に設けたが、ふろリモコン１や、給湯機２０に設け、タイムアップ信号を、通信手段６等で、台所リモコン９に送信してもよい。
【００２９】
（実施の形態２）
図１は、本発明の第２の実施の形態における給湯機のリモコンを備えた給湯機のブロック図を示すものである。第１の実施の形態と同じ構成である。
【００３０】
図３は、本発明の第２の実施の形態における給湯機のリモコンの浴室モニター機能の動作フローチャートを示すものである。
【００３１】
以上のように構成された給湯機のリモコンについて、以下その動作、作用を説明する。
【００３２】
まず、浴室モニター機能については、第１の実施の形態と同じである。ここで、この浴室モニター機能を、さらに詳しく説明する。浴室モニター中に、台所リモコン９の通話スイッチ１８を押し続けることで、台所リモコン９から音データをふろリモコン１側に送信することができる。これは、浴室モニター中に、例えば浴室からの音が聞こえなくなり、入浴者が浴室内で倒れているのではないかと心配になった場合など、台所リモコン１側から、入浴者に対して呼びかけを行う場合などに使用する。また、子供が入浴している場合など、早く出てくるように呼びかけるような場合にも使用する。このように、通話スイッチ１８を押し続けて、台所リモコン９側からふろリモコン１側に音データを送信する状態というのは、台所リモコン９の近くにいる人、つまり、浴室の状況を把握したい人が、浴室の状況に注意しているということである。よって、このような状態の時は、第１の実施の形態のように、定期的に注意喚起を行う必要がないともいえる。
【００３３】
よって、煩わしく感じるような注意喚起をしない方法が第２の実施の形態であり、浴室モニター機能が働いている時の動作を図１と図３のフローチャートを用いて説明する。
【００３４】
本発明では、浴室モニター機能が動作した時、マイコン１７はタイマー手段１９を起動する（ステップ６）。ステップ７では、浴室モニターが停止されたかどうかの判断なので、浴室モニター中は、ステップ８に進む。ステップ８では、通話スイッチ１８が操作されたかどうかを判断する。通話スイッチ１８が操作されない場合は、ステップ９に進み、タイマー手段１９が３分をカウントしたかどうか判断する。これ以降の動作は、第１の実施の形態と同様に、３分ごとに報知手段が起動される。
【００３５】
ステップ８で、通話スイッチ１８が操作された場合、すなわち、台所リモコン９からふろリモコン１に音データが送信されれば、ステップ１１に進む。台所リモコン９からふろリモコン１に音データが送信されるということは、ふろリモコン１から台所リモコン９へ音データを送信していたのが、一時途切れるということである。ステップ１１に進むということは、報知手段１５を起動せずに、タイマー手段１９をリセットすることである。
【００３６】
つまり、台所リモコン９の通話スイッチ１８を操作したときは、浴室モニターに対する使用者の注意ができているということで、報知手段１５を起動せずにタイマー手段１９をリセットする。通話スイッチ１８が操作されずに、タイマー手段１９がカウントアップ信号を出力した時のみ、報知手段１５が起動され、浴室モニターに対する注意が喚起され、浴室状況の把握を忘れ、浴室での事故に気がつくのが遅れることを防止できる。
【００３７】
言い換えれば、ふろリモコン１から台所リモコン９へ音データを送信している時間が３分を超えた場合に、台所リモコン９で報知手段１５が起動され、浴室モニターに対する注意が喚起され、浴室状況の把握を忘れ、浴室での事故に気がつくのが遅れることを防止できる。
【産業上の利用可能性】
【００３８】
以上のように、本発明にかかる給湯機のリモコンは、浴室状況の把握に対する注意喚起が可能となり、浴室での事故に気がつくのが遅れることがないので、給湯機に限らず、浴室内外をインターホンで接続し、浴室状況の把握を行うようなインターホン機器や、見守り機能を持つ機器への展開が可能である。
【図面の簡単な説明】
【００３９】
【図１】本発明の実施の形態１における給湯機用リモコンを備えた給湯機のブロック図
【図２】本発明の実施の形態１における給湯機用リモコンの浴室モニター機能の動作フローチャート
【図３】本発明の実施の形態２における給湯機用リモコンの浴室モニター機能の動作フローチャート
【符号の説明】
【００４０】
１  ふろリモコン
９  台所リモコン
１５  報知手段
【図１】
2006105503.tif 000003
【図２】
2006105503.tif 000004
【図３】
2006105503.tif 000005